(57)【特許請求の範囲】
【請求項１】
画像及び音声の少なくとも一方のデータを取得するデータ取得手段と、前記データ取得手段で取得した取得データを記憶する記憶手段とを備えた移動体通信端末であって、
予め登録しておいた複数のサーバから提供されるＷＥＢコンテンツのそれぞれについて、所定時間毎に前記ＷＥＢコンテンツのフィードを取得するフィード取得手段と、
前記記憶手段に記憶されている取得データのうちフィードと関連付けられていない取得データのみの一覧を表示し、その一覧からフィード関連付け対象の取得データが選択されると、前記フィード取得手段によって取得された取得済みの前記ＷＥＢコンテンツのフィードの一覧を表示する表示手段と、
前記ＷＥＢコンテンツのフィードの一覧から関連付け対象のフィードが選択されると、その選択された関連付け対象のフィードと前記フィード関連付け対象の取得データとを関連付けて前記記憶手段に保存する保存手段と、を備え、
前記表示手段は、前記記憶手段に記憶されている取得データのうちフィードが関連付けられている取得データを出力するとき、その取得データに関連付けられているフィードを前記記憶手段から読み出して表示することを特徴とする移動体通信端末。
【請求項２】
請求項１に記載の移動体通信端末であって、
前記データ取得手段は、画像を撮像する撮像手段であり、
前記取得データは、前記撮像手段で撮像した画像データであり、
前記表示手段は、前記撮像手段で画像を撮像すると、その画像データに関連付け可能なフィードとして、前記フィード取得手段によって取得された取得済みの前記ＷＥＢコンテンツのフィードの一覧を表示することを特徴とする移動体通信端末。
【請求項３】
請求項１に記載の移動体通信端末であって、
前記データ取得手段は、画像及び音声の少なくとも一方を含むデータからなるファイルを通信ネットワーク上のサーバから受信して取得することを特徴とする移動体通信端末。
【請求項４】
請求項１乃至３いずれかに記載の移動体通信端末であって、
前記表示手段は、前記ＷＥＢコンテンツのフィードの一覧から関連付け対象のフィードが選択されると、その選択された関連付け対象のフィードの複数のアイテム情報の一覧を表示し、
前記保存手段は、前記複数のアイテム情報の一覧から関連付け対象のアイテム情報が選択されると、その選択された関連付け対象のアイテム情報と前記フィード関連付け対象の取得データとを関連付けて前記記憶手段に保存することを特徴とする移動通信端末。
【発明の詳細な説明】
【技術分野】
【０００１】
本発明は、画像及び音声の少なくとも一方を含むデータを取得するデータ取得手段と、前記データ取得手段で取得した取得データを記憶する記憶手段とを備えた携帯電話機等の移動体通信端末に関するものである。
【背景技術】
【０００２】
従来から、撮像手段を備えた移動体通信端末たる携帯電話機が知られている。例えば、サッカーを観戦したときに撮像した画像を表示したときに、その試合の結果など撮像した画像と関連する情報も表示させたいなどのニーズがあった。
特許文献１には、撮像手段で撮像した画像データや、インターネットなどを介して受信した画像データとこの画像に関するメモデータとを関連付けて記憶する携帯電話機が記載されている。この特許文献１のように、画像データとこの画像に関するメモデータとを関連付けて記憶することにより、画像を表示したときにこの画像に関連する情報として上記メモデータを表示させることができる。
【０００３】
【特許文献１】特開２００５−２５２３７３号公報
【発明の開示】
【発明が解決しようとする課題】
【０００４】
この特許文献１の携帯電話機では、利用者が携帯電話機の操作部を操作して文字情報を入力することにより、上記画像データに関連するメモデータを作成していた。そのため、画像データに関連する情報として、利用者が手入力した文字情報（メモデータ）しか表示することができず、手入力以外の情報も表示したい利用者にとって不便であった。
【０００５】
本発明は、上記問題に鑑みなされたものであり、その目的とするところは、画像や音楽のデータに関連する情報として、利用者が手入力した文字情報以外の情報についても表示できるようにし、利用者の利便性を高めることができる移動体通信端末を提供することである。
【課題を解決するための手段】
【０００６】
上記目的を達成するために、請求項１の発明は、画像及び音声の少なくとも一方のデータを取得するデータ取得手段と、前記データ取得手段で取得した取得データを記憶する記憶手段とを備えた移動体通信端末であって、予め登録しておいた複数のサーバから提供されるＷＥＢコンテンツのそれぞれについて、所定時間毎に前記ＷＥＢコンテンツのフィードを取得するフィード取得手段と、前記記憶手段に記憶されている取得データのうちフィードと関連付けられていない取得データのみの一覧を表示し、その一覧からフィード関連付け対象の取得データが選択されると、前記フィード取得手段によって取得された取得済みの前記ＷＥＢコンテンツのフィードの一覧を表示する表示手段と、前記ＷＥＢコンテンツのフィードの一覧から関連付け対象のフィードが選択されると、その選択された関連付け対象のフィードと前記フィード関連付け対象の取得データとを関連付けて前記記憶手段に保存する保存手段と、を備え、前記表示手段は、前記記憶手段に記憶されている取得データのうちフィードが関連付けられている取得データを出力するとき、その取得データに関連付けられているフィードを前記記憶手段から読み出して表示することを特徴とするものである。
また、請求項２の発明は、請求項１に記載の移動体通信端末であって、請求項１に記載の移動体通信端末であって、前記データ取得手段は、画像を撮像する撮像手段であり、前記取得データは、前記撮像手段で撮像した画像データであり、前記表示手段は、前記撮像手段で画像を撮像すると、その画像データに関連付け可能なフィードとして、前記フィード取得手段によって取得された取得済みの前記ＷＥＢコンテンツのフィードの一覧を表示することを特徴とするものである。
また、請求項３の発明は、請求項１に記載の移動体通信端末であって、前記データ取得手段は、画像及び音声の少なくとも一方を含むデータからなるファイルを通信ネットワーク上のサーバから受信して取得することを特徴とするものである。
また、請求項４の発明は、請求項１乃至３いずれかに記載の移動体通信端末であって、前記表示手段は、前記ＷＥＢコンテンツのフィードの一覧から関連付け対象のフィードが選択されると、その選択された関連付け対象のフィードの複数のアイテム情報の一覧を表示し、前記保存手段は、前記複数のアイテム情報の一覧から関連付け対象のアイテム情報が選択されると、その選択された関連付け対象のアイテム情報と前記フィード関連付け対象の取得データとを関連付けて前記記憶手段に保存することを特徴とするものである。
【発明の効果】
【０００７】
本発明によれば、フィード取得手段は、通信ネットワーク上の予め登録しておいた複数のサーバから提供されるＷＥＢコンテンツのそれぞれについて、所定時間毎にＷＥＢコンテンツのフィードを取得する。表示手段は、記憶手段に記憶されている取得データのうちフィードとを関連付けられていない取得データのみの一覧を表示し、その一覧からフィード関連付け対象の取得データが選択されると、前記フィード取得手段によって取得された取得済みのＷＥＢコンテンツのフィードの一覧を表示する。保存手段は、前記ＷＥＢコンテンツのフィードの一覧から関連付け対象のフィードが選択されると、その選択された関連付け対象のフィードとフィード関連付け対象の取得データとを関連付けて記憶手段に保存する。この記憶手段に記憶されている記憶されている取得データのうちフィードが関連付けられている取得データを出力するとき、その取得データに関連付けられているフィードが記憶手段から読み出されて表示される。このように利用者が手入力した文字情報以外のフィードについても、前記取得データに関連する情報として表示できるため、利用者が手入力した文字情報しか表示できない場合に比して利用者の利便性を高めることができるという効果がある。
【発明を実施するための最良の形態】
【０００８】
以下、図面を参照して本発明の実施の形態について説明する。
図１は本実施形態に係る通信システム全体の概略構成の一例を示す説明図である。この通信システムは、移動体通信端末としての携帯電話機１０と、移動体通信事業者によって管理されている通信ネットワークとしての携帯電話通信網２０とを用いて構成されている。携帯電話通信網２０は、基地局２０１や図示しない交換機（回線交換機、パケット交換機）等を備え、中継サーバとしてのゲートウェイサーバを介してインターネット３０等の他の通信ネットワークに接続されている。また、携帯電話通信網２０及びインターネット３０には、ＷＥＢコンテンツを提供するコンテンツ提供サーバとしてのＷＥＢサーバ４１が接続されている。ＷＥＢサーバ４１は、各種ＷＥＢコンテンツのほか、そのＷＥＢコンテンツの要約情報（以下「コンテンツ要約情報」という。）も提供する。また、ＷＥＢサーバ４１は携帯電話通信網２０側に設けてもよい。これらのサーバから携帯電話機１０にコンテンツをダウンロードするときには、ネットワークの各階層において所定の通信プロトコルが用いられる。例えば、ＷＥＢサーバ４１からＷＥＢページをダウンロードするときのアプリケーション層の通信プロトコルとしては、ＨＴＴＰ（Hyper Text Transfer Protocol）が用いられる。
【０００９】
図２は、上記ＷＥＢサーバ４１のハードウェア構成の一例を示すブロック図である。このＷＥＢサーバ４１は、システムバス４００、ＣＰＵ４０１、ＲＡＭ４０２、ＲＯＭ４０３、外部記憶装置４０４、入力装置４０５、出力装置４０６、及びインターネット用通信装置４０７を備えている。上記ＲＡＭ４０２やＲＯＭ４０３等は内部記憶装置として用いられる。上記外部記憶装置４０４は、ハードディスクドライブ（ＨＤＤ）や光ディスクドライブ等で構成されている。上記入力装置４０５は、マウスやキーボード等で構成されている。上記出力装置４０６は、ディスプレイやプリンタ等で構成されている。上記通信装置４０７は、所定の通信プロトコルにより、携帯電話通信網２０を介して他の携帯電話機や他のサーバと通信したり、インターネット３０上の各種クライアント端末や他のサーバと通信したりするための装置である。
【００１０】
上記ＣＰＵ４０１やＲＡＭ４０２等の構成要素はお互いに、システムバス４００を介して、データやプログラムの命令等のやり取りを行っている。このＷＥＢサーバ４１を所定の手順に従って動作させるためのプログラムはＲＯＭ４０３や外部記憶装置４０４に記憶されており、必要に応じてＣＰＵ４０１やＲＡＭ４０２上の作業エリアに呼び出されて実行される。
【００１１】
また、上記ＷＥＢサーバ４１はそれぞれ一部又は全体を専用の制御装置として構成してもいいし、一部又は全体を汎用のコンピュータシステムを用いて構成してもよい。また、ＷＥＢサーバ４１はそれぞれ、１台のコンピュータで構成してもいいし、複数の機能をそれぞれ受け持つ複数台のコンピュータをネットワークで結んで構成してもよい。
【００１２】
図３は、ＷＥＢサーバ４１の構成例を示す機能ブロック図である。ＷＥＢサーバ４１は、記憶手段４１５と受信手段４１６と送信手段４１７とを備えている。このＷＥＢサーバ４１は、ＣＰＵ等からなるハードウェア上で所定のプログラムを実行することにより、上記各手段の機能を実現している。上記記憶手段４１５は、上記内部記憶装置や外部記憶装置４０４で構成され、携帯電話機１０で受信可能な各種ＷＥＢコンテンツのデータや、そのコンテンツ要約情報のデータを記憶している。
【００１３】
上記受信手段４１６は、上記ＣＰＵ４０１や通信装置４０７等で構成され、上記記憶手段４１５に記憶されている複数種類のＷＥＢコンテンツやコンテンツ要約情報を要求する取得要求を携帯電話機１０から受信する。
【００１４】
上記送信手段４１７は、上記ＣＰＵ４０１や通信装置４０７等で構成され、上記取得要求に基づいて選択されたＷＥＢコンテンツのデータやコンテンツ要約情報のデータを移動体通信端末１０に送信する。
【００１５】
上記コンテンツ要約情報のデータは、携帯電話機からの取得要求に応じて例えばＲＳＳと呼ばれるフォーマットで送信することができる。このＲＳＳは、ＷＥＢサーバ（ＷＥＢサイト）で提供されるＷＥＢコンテンツの見出し、要約、更新情報等のメタデータを構造化して記述するＸＭＬ（Extensible Markup Language）ベースのフォーマットである。ＲＳＳはいくつかのバージョン（RSS0.9X, RSS1.0, RSS2.0, Atom）が存在し、バージョンごとに「Rich Site Summary」、「Really Simple Syndication」、「RDF Site Summary」という正式名称で呼ばれている。このＲＳＳフォーマットで記述された文書は「ＲＳＳフィード」と呼ばれ、ＲＳＳフィードを受信して表示するソフトウェアは「ＲＳＳリーダ」と呼ばれている。ＷＥＢコンテンツが更新されると、携帯電話機からの取得要求に応じて、更新後のコンテンツ要約情報を反映したＲＳＳフィードが携帯電話機に送信される。上記コンテンツ要約情報としては、例えば、ニュース、天気、イベント等の情報を送信することができる。
【００１６】
図４は携帯電話機１０の一構成例を示す外観図であり、図５は、その携帯電話機１０のハードウェア構成の一例を示す概略構成図である。携帯電話機１０は、システムバス１００、ＣＰＵ１０１、ＲＡＭ１０２やＲＯＭ１０３等の記憶装置、入力装置１０４、出力装置１０５、携帯電話通信網用通信装置１０６、撮像手段としての撮像デバイス１９を備えている。ＣＰＵ１０１やＲＡＭ１０２等の構成要素は、システムバス１００を介して、互いに各種データやプログラムの命令等のやり取りを行っている。
【００１７】
上記ＣＰＵ１０１は、上記記憶装置から所定のプログラムを読み込んで実行することにより、ネイティブ側の電話機プラットフォームの基本ソフト（ＯＳ）上で、音声通話機能や、アプリケーションソフト（以下「アプリケーション」という。）による各種機能を実現することができる。このアプリケーションによる機能としては、ＲＳＳリーダ、ＷＥＢブラウザ、メーラー、外部装置とのデータ送受信、アドレス帳管理、スケジューラ、メモ帳等がある。
【００１８】
また、上記ＣＰＵ１０１は、上記記憶装置から所定のプログラムを読み込んで実行することにより、ネイティブ側の電話機プラットフォーム上でアプリケーションを実行するためのアプリケーション実行環境を構築することができる。そして、このアプリケーション実行環境上で、携帯電話機１０にプリインストールされているアプリケーションや、利用者がダウンロードして登録したアプリケーション等の各種アプリケーションを実行することができる。
【００１９】
上記入力装置１０４は、データ入力キー（テンキー、＊キー、＃キー）１１、通話開始キー１２、終話キー１３、スクロールキー１４、多機能キー１５、マイク１６等から構成されている。この入力装置１０４のテンキー１１、通話開始キー１２、終話キー１３等により、利用者が操作可能な操作部が構成される。この操作部を操作することにより、利用者は、携帯電話機１０に対してコンテンツ取得先のＵＲＬ等のデータを入力したり、電話着信の際に通話の開始及び終了を行ったり、アプリケーションの選択、起動及び停止を行ったりすることができる。また、利用者は上記操作部を操作することにより、上記ＷＥＢサーバ４１から、アプリケーションプログラム等のコンテンツをダウンロードして登録することができる。
【００２０】
上記出力装置１０５は、表示手段である液晶ディスプレイ（ＬＣＤ）１７、音出力手段であるスピーカ１８等から構成されている。上記液晶ディスプレイ（ＬＣＤ）１７やスピーカ１８等からなる出力装置等で構成されている出力部は、携帯電話通信網２０を介して受信したＷＥＢページを液晶ディスプレイ（ＬＣＤ）１７に表示したり、携帯電話通信網２０から情報を着信した旨を利用者に知らせたりするときに用いられる。具体的には、その情報を着信すると、出力部の液晶ディスプレイ（ＬＣＤ）１７に着信報知画像を表示したり、スピーカ１８から着信音を出力させたりする。なお、上記スピーカ１８は、通話中の音声を聞くための受話器用スピーカ（レシーバ）と、着信音や音楽などを出力する外部出力用スピーカとを別々に設けて構成してもいいし、これらの受話器用スピーカ及び外部出力用スピーカを兼用するように一つのスピーカで構成してもよい。
【００２１】
上記携帯電話通信網用通信装置１０６は、変復調器、シンセサイザ、周波数変換器，高周波増幅器などにより構成され、携帯電話通信網２０を介して他の携帯電話機や上記ＷＥＢサーバ４１等と通信するときに用いられる。この携帯電話通信網用通信装置１０６は、携帯電話通信網２０を介して他の携帯電話機とメールのやり取りを行ったり、携帯電話通信網２０からゲートウェイサーバを介して、インターネット等の外部の通信ネットワークに接続し、インターネット上での電子メールのやり取り等を行ったりするための通信手段として用いられる。更に、この携帯電話通信網用通信装置１０６は、携帯電話通信網２０を介して、ＷＥＢサーバ４１が提供する各種コンテンツをダウンロードしたり、現在位置の位置情報を含む配信情報を受信したりする情報受信手段としても用いられる。
【００２２】
上記撮像デバイス１９としては、ＣＣＤ（Charge Coupled Device）カメラやＣＭＯＳカメラを用いることができる。また、使用環境に応じて、信号処理機能を備えた高速撮像が可能な人工網膜カメラや、赤外線やガンマ線等の可視光線以外の波長領域に感度を有するカメラを用いてもよい。この撮像デバイス１９は、人物や風景等の画像を撮影したり、接写機能により１次元や２次元のコード画像を撮影したりするときに用いられる。
【００２３】
携帯電話機１０は、ＲＳＳリーダのほかに、例えば、音楽や動画等のマルチメディアコンテンツ（以下、「メディアコンテンツ」という。）の再生を行うアプリケーションも、コンテンツ要約情報であるＲＳＳフィードを表示する機能を備えている。また、サービス参加者が互いに友人を紹介しあって、新たな友人関係を広げることを目的に開設されたコミュニティサービス（ＳＮＳ：ソーシャル・ネットワーク・サービス）を利用するためのアプリケーションなども、コンテンツ要約情報であるＲＳＳフィードを表示する機能を備えている。メディアコンテンツの再生を行うアプリケーションは、音楽情報、ＣＤの売り上げランキング、着うたランキングなどのＲＳＳフィードが表示されるようになっている。また、上記コミュニティサービスを利用するためのアプリケーションは、友人のブログの更新情報などのＲＳＳフィードが表示されるようになっている。
【００２４】
図６は、本実施形態に係る携帯電話機１０の主要な機能を抽出して示した機能ブロック図である。この携帯電話機１０は、通信手段１１０と記憶手段１１１と表示制御手段１１２と表示手段１１３と編集手段１１４と撮像手段１１５とを有する。
【００２５】
上記通信手段１１０は上記通信装置１０６等で構成され、ＨＴＴＰ等の所定の通信プロトコルを用いて携帯電話通信網２０を介した通信を行う。この通信手段１１０は、接続情報としてのＵＲＩ（Uniform Resource Identifier）に基づいて通信ネットワーク上のＷＥＢサーバ４１にアクセスし、そのＷＥＢサーバ４１から前述のＲＳＳフィードを取得する要約情報取得手段として用いられる。また、この要約情報取得手段は、所定の時間毎にＵＲＩに基づいて通信ネットワーク上のＷＥＢサーバ４１にアクセスし、そのサーバからＲＳＳフィードを自動的に取得できるようになっている。自動取得のタイミングは、装置内部のセキュアな時計に従い処理される。ここで、「セキュアな時計」とは、ユーザーが設定可能な時計とは異なり、通信ネットワーク（携帯電話通信網）と同期を取る絶対時間の時計である。
【００２６】
上記記憶手段１１１は上記ＲＡＭ１０２等の記憶装置により構成され前述のＲＳＳフィードとＲＳＳフィードを取得するための取得情報としてのＲＳＳフィード提供先に接続するための接続先情報とを記憶している。また、記憶手段１１１は、撮像手段１１５で撮像した画像データが記憶されている。画像データは、この画像データに関するＲＳＳフィードとが関連付けられて記憶されている。例えば、上記画像データと、この画像データに関するＲＳＳフィードに記述されるコンテンツ要約情報とを含むように、Exif（Exchangeable Image File Format）ファイルなどの画像ファイルが作成されて記憶されている。
【００２７】
上記表示制御手段１１２は上記ＣＰＵ１０１等で構成され、前述のＲＳＳフィードを記憶手段１１１から取得して表示するように制御する。また、ＲＳＳフィードが未読の場合に、待ちうけ画面などのピクト領域に、未読のＲＳＳフィードがある旨のピクト画像を表示するように制御する。また、画像データとこの画像データと関連付けて記憶されているＲＳＳフィードに記述されるコンテンツ要約情報とを記憶手段１１１から読み出し、画像とコンテンツ要約情報とをそれぞれ所定の位置に表示するように制御する。
【００２８】
上記表示手段１１３は上記ディスプレイ等で構成され、撮像デバイス１９で撮像した画像を表示したり、ＲＳＳフィードの表示を行うアプリケーション（ＲＳＳリーダ）を起動したときに前述のＲＳＳフィードを表示したりすることができる。
【００２９】
撮像手段１１５は、上記撮像デバイス１９等で構成され、利用者によるシャッター操作等に基づいて、人物や風景等の画像を撮影して画像データを取得することができる。
【００３０】
上記編集手段１１４は、記憶手段１１１に記憶されているＲＳＳフィードおよび撮像手段１１５などによって取得した画像データを読み出して、画像データと関連するＲＳＳフィードに記述されたコンテンツ要約情報を画像データと関連付けて保存する保存手段としての機能を有している。具体的には、画像データと、この画像データに関連するＲＳＳフィードに記載されたコンテンツ要約情報とを、Exifファイルなどの画像ファイルに編集して保存する。
【００３１】
図７は、画像データと、この画像データに関連するＲＳＳフィードに記述されたコンテンツ要約情報との関連付けを行う制御の一例を示すフローチャートである。図８（ａ）〜（ｃ）は、上記関連付けを行うときの携帯電話機の画面遷移の一例を示す図である。まず、利用者が撮像手段１１５で予め撮影して保存している画像データや、通信手段１１０によって通信ネットワーク上のサーバなどから取得して保存している画像データに関連するＲＳＳフィードに記述されたコンテンツ要約情報を関連付けて記憶させる場合、利用者は、図示しないメニュー画面から、「画像編集」を選択して、図８（ａ）に示すような、画像データ一覧表示画面を表示させる（Ｓ１０１）。この画像データ一覧表示画面には、コンテンツ要約情報が関連づけられて記憶手段１１１に記憶されていない画像データが表示される。この画像データ一覧表示画面に表示された画像データを選択（図示の例では、画像ＡＡＡＡを選択）すると（Ｓ１０２のＹＥＳ）、図８（ｂ）に示すような、ＲＳＳフィード一覧表示画面が表示される（Ｓ１０３）。このＲＳＳフィード一覧表示画面には、ＲＳＳフィードのチャンネル要素に記述されたタイトルが表示される。次に、利用者が、このＲＳＳフィード一覧表示画面から、ＲＳＳフィードを選択すると（Ｓ１０４のＹＥＳ）、図８（ｃ）に示すような内容確認画面が表示される（Ｓ１０５）。この内容確認画面には、上記選択した画像データ９００ａと、選択したＲＳＳフィードに記述されたコンテンツ要約情報９００ｂが表示される。画像データに関連付けるコンテンツ要約情報が、内容確認画面で表示されたコンテンツ要約情報でいいと判断し、利用者がＯＫボタンを選択すると（Ｓ１０６のＹＥＳ）、上記選択された画像データと上記選択されたコンテンツ要約情報とを含んだExifファイルなどの画像ファイルが保存される（Ｓ１０７）。以上の制御により、画像データとこの画像データに関連するＲＳＳフィードに記述されたコンテンツ要約情報とを関連付けて保存することができ、画像データに関連する文字情報を手入力で入力する手間を省くことができる。
【００３２】
図９は、画像データと、この画像データに関連するＲＳＳフィードに記述されたコンテンツ要約情報のアイテムとの関連付けを行う他の制御例を示すフローチャートである。図１０（ａ）〜（ｄ）は、上記関連付けを行うときの携帯電話機の画面遷移の一例を示す図である。まず、利用者が撮像手段１１５で予め撮影して保存している画像データや、通信手段１１０によって通信ネットワーク上のサーバなどから取得して保存している画像データに関連するＲＳＳフィードに記述されたコンテンツ要約情報を関連付けて記憶させる場合、利用者は、図示しないメニュー画面から、「画像編集」を選択して、図１０（ａ）に示すような、画像データ一覧表示画面を表示させる（Ｓ２０１）。この画像データ一覧表示画面には、コンテンツ要約情報が関連づけられて記憶手段１１１に記憶されていない画像データが表示される。この画像データ一覧表示画面に表示された画像データを選択（図示の例では、画像ＡＡＡＡを選択）すると（Ｓ２０２のＹＥＳ）、図１０（ｂ）に示すような、ＲＳＳフィード一覧表示画面が表示される（Ｓ２０３）。このＲＳＳフィード一覧表示画面には、ＲＳＳフィードのチャンネル要素に記述されたタイトルが表示される。次に、利用者が、このＲＳＳフィード一覧表示画面から、ＲＳＳフィードを選択すると（Ｓ２０４のＹＥＳ）、図１０（ｃ）に示すような、選択したＲＳＳフィードに記述されているアイテムのタイトル一覧画面が表示される（Ｓ２０５）。このアイテムタイトル一覧画面から、上記画像データと関連付けて記憶させたいアイテムタイトルを選択すると（Ｓ２０６のＹＥＳ）、図１０（ｄ）に示すような内容確認画面が表示される（Ｓ２０７）。この内容確認画面には、上記選択した画像データ９００ａと、選択したＲＳＳフィードのアイテムに記述されたコンテンツ要約情報９００ｂが表示される。画像データに関連付けるコンテンツ要約情報が、内容確認画面で表示されたコンテンツ要約情報でいいと判断し、利用者がＯＫボタンを選択すると（Ｓ２０８のＹＥＳ）、上記選択された画像データと上記選択されたコンテンツ要約情報とを含んだExifファイルなどの画像ファイルが保存される（Ｓ２０９）。この制御例では、画像データとこの画像データに関連するＲＳＳフィードに記述されたコンテンツ要約情報に含まれるアイテムとを関連付けて保存することができ、画像データに関連する文字情報を手入力で入力する手間を省くことができる。
【００３３】
図１１は、撮像手段で撮像した画像データと、この画像データに関連するＲＳＳフィードに記述されたコンテンツ要約情報との関連付けを行う更に他の制御例を示すフローチャートである。図１２（ａ）及び（ｂ）は、上記関連付けを行うときの携帯電話機の画面遷移の一例を示す図である。まず、利用者が撮像手段１１５で風景や人物などの画像を撮影すると（Ｓ３０１）、図１２（ａ）に示すようなＲＳＳフィード一覧表示画面が表示される（Ｓ３０２）。このＲＳＳフィード一覧表示画面には、ＲＳＳフィードのチャンネル要素に記述されたタイトルが表示される。次に、利用者が、このＲＳＳフィード一覧表示画面から、ＲＳＳフィードを選択すると（Ｓ３０３のＹＥＳ）、図１２（ｂ）に示すような内容確認画面が表示される（Ｓ３０４）。この内容確認画面には、上記撮像した画像データ９００ａと、選択したＲＳＳフィードのアイテムに記述されたコンテンツ要約情報９００ｂが表示される。画像データに関連付けるコンテンツ要約情報が、内容確認画面で表示されたコンテンツ要約情報でいいと判断し、利用者がＯＫボタンを選択すると（Ｓ３０５のＹＥＳ）、上記撮影した画像データと上記選択されたコンテンツ要約情報とを含んだExifファイルなどの画像ファイルが保存される（Ｓ３０６）。この制御例では、撮像手段１１５で画像を撮影したときに、その撮影した画像データと、この画像データに関連するＲＳＳフィードに記述されたコンテンツ要約情報とを関連付けて保存することができる。
【００３４】
図１３は、撮像手段で撮像した画像データと、この画像データに関連するＲＳＳフィードに記述されたコンテンツ要約情報のアイテムとの関連付けを行う更に他の制御例を示すフローチャートである。図１４（ａ）〜（ｃ）は、上記関連付けを行うときの携帯電話機の画面遷移の一例を示す図である。まず、利用者が撮像手段１１５で風景や人物などの画像を撮影すると（Ｓ４０１）、図１４（ａ）に示すような、ＲＳＳフィード一覧表示画面が表示される（Ｓ４０２）。このＲＳＳフィード一覧表示画面には、ＲＳＳフィードのチャンネル要素に記述されたタイトルが表示される。次に、利用者が、このＲＳＳフィード一覧表示画面から、ＲＳＳフィードを選択すると（Ｓ４０３のＹＥＳ）、図１４（ｂ）に示すような、選択したＲＳＳフィードに記述されているアイテムのタイトル一覧画面が表示される（Ｓ４０４）。このアイテムタイトル一覧画面から、上記画像データと関連付けて記憶させたいアイテムタイトルを選択すると（Ｓ４０５のＹＥＳ）、図１４（ｃ）に示すような内容確認画面が表示される（Ｓ４０６）。この内容確認画面には、上記選択した画像データ９００ａと、選択したＲＳＳフィードのアイテムに記述されたコンテンツ要約情報９００ｂが表示される。画像データに関連付けるコンテンツ要約情報が、内容確認画面で表示されたコンテンツ要約情報でいいと判断し、利用者がＯＫボタンを選択すると（Ｓ４０７のＹＥＳ）、上記撮影した画像の画像データと上記選択されたコンテンツ要約情報とを含んだExifファイルなどの画像ファイルが保存される（Ｓ４０８）。この制御例では、撮像手段１１５で画像を撮影したときに、その撮影した画像データと、この画像データに関連するＲＳＳフィードに記述されたコンテンツ要約情報に含まれるアイテムとを関連付けて保存することができる。
【００３５】
なお、上記図７乃至図１４の実施形態では、画像データとこの画像データに関連するコンテンツ要約情報とを関連付けて保存する場合について説明したが、コンテンツ要約情報とを関連付けて保存するデータは、上記画像データに限られない。例えば、通信手段１１１によってＷＥＢサーバ４１から取得した動画データや、映像撮影機能を有した携帯電話機で撮影した動画データと、この動画データと関連するコンテンツ要約情報とを関連付けて保存するようにしてもよい。この場合、動画データの再生を行うアプリケーション動作中にディスプレイに表示される画面に、上記ＲＳＳフィードに記述されたコンテンツ要約情報を表示させる。また、通信手段１１１によってＷＥＢサーバ４１から取得した音声データや音楽データと、これらの音声データや音楽データと関連するコンテンツ要約情報とを関連付けて保存するようにしてもよい。また、録音機能を有する携帯電話機で録音した音声データや音楽データと、これらの音声データや音楽データと関連するコンテンツ要約情報とを関連付けて保存するようにしてもよい。これらの場合、音声データや音楽データの再生を行うアプリケーション動作中にディスプレイに表示される画面上に、ＲＳＳフィードに記述されたコンテンツ要約情報を表示させる。
【００３６】
また、本発明は、携帯電話機に限定することなく、表示手段を備えたものであれば様々な移動体通信端末に適用することができる。すなわち、本発明における「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機、固定電話機等の通話機能を有する電話機が挙げられる。また、この「移動体通信端末」としては、上記電話機のほか、通話機能を有するＰＤＡ（Personal Digital Assistance）等の通信端末も挙げられる。
【図面の簡単な説明】
【００３７】
【図１】本発明の実施形態に係る通信システムの概略構成図。
【図２】ＷＥＢサーバのハードウェア構成のブロック図。
【図３】ＷＥＢサーバの機能ブロック図。
【図４】携帯電話機の外観図。
【図５】携帯電話機のハードウェア構成のブロック図。
【図６】携帯電話機の機能ブロック図。
【図７】画像データと、この画像データと関連するＲＳＳフィードに記述されたコンテンツ要約情報との関連付けを行うときの制御フロー図。
【図８】（ａ）〜（ｃ）は、図７の制御例における携帯電話機の画面遷移の一例を示す図。
【図９】画像データと、この画像データと関連するＲＳＳフィードに記述されたコンテンツ要約情報のアイテムとの関連付けを行う他の制御例を示す制御フロー図。
【図１０】（ａ）〜（ｄ）は、図９の制御例における携帯電話機の画面遷移の一例を示す図。
【図１１】携帯電話機で撮影した画像データと、この画像データと関連するＲＳＳフィードに記述されたコンテンツ要約情報との関連付けを行う更に他の制御例を示す制御フロー図。
【図１２】（ａ）及び（ｂ）は、図１１の制御例における携帯電話機の画面遷移の一例を示す図。
【図１３】携帯電話機で撮影した画像データと、この画像データと関連するＲＳＳフィードに記述されたコンテンツ要約情報のアイテムとの関連付けを行う更に他の制御例を示す制御フロー図。
【図１４】（ａ）〜（ｃ）は、図１３の制御例における携帯電話機の画面遷移の一例を示す図。
【符号の説明】
【００３８】
１０    携帯電話機
２０    携帯電話通信網
３０    インターネット
４１    ＷＥＢサーバ
１１０    通信手段（要約情報取得手段）
１１１    記憶手段
１１２    表示制御手段
１１３    表示手段
１１４    編集手段（保存手段）
１１５    撮像手段
【図１】
0004846448.tif 000002
【図２】
0004846448.tif 000003
【図３】
0004846448.tif 000004
【図４】
0004846448.tif 000005
【図５】
0004846448.tif 000006
【図６】
0004846448.tif 000007
【図７】
0004846448.tif 000008
【図８】
0004846448.tif 000009
【図９】
0004846448.tif 000010
【図１０】
0004846448.tif 000011
【図１１】
0004846448.tif 000012
【図１２】
0004846448.tif 000013
【図１３】
0004846448.tif 000014
【図１４】
0004846448.tif 000015